(57)【要約】【課題】ディスクをそれらの軸線が互いに一致するとともに軸線方向に所定の間隔で収納するようにしたディスク収納ケースにおいて、とくに軸線方向の両端のディスクが、両端の切込みを閉じる舌片のロックのための係合部によるロックおよびロック解除の際におけるパーティクルによって汚損されないようにする。【解決手段】上蓋の両端に形成されている舌片３５の下端に突出片３６を形成し、この突出片３６の内側に係合爪３７を形成する。一方本体１１の底部開口を閉じる底蓋１３の短辺側リブの外側の中間位置に下方に向けて開放されたコ字状係止部４５を形成し、このコ字状係止部４５に上記係合爪３７を係合し、これによって上蓋１２が本体１１の上部開口２５を閉じた状態でロックする。【選択図】図２０
0003164941.tif 000002
【実用新案登録請求の範囲】
【請求項１】
内側面にディスクの外周部を受入れる案内溝が所定の間隔で形成され、前記案内溝によって複数のディスクをそれらの軸線が互いに一致するとともに軸線方向に所定の間隔で収納され、かつ前記軸線方向の両端にそれぞれ上方から切込まれた切込みが形成されている本体と、
前記本体の上部開口を閉じるとともに、前記軸線方向の両端の切込みを閉じる舌片を一体に連設した上蓋と、
前記本体の下部開口を閉じる底蓋と、
を具備し、前記上蓋の舌片の先端部に突出片が連設されるとともに、該突出片に係合爪が設けられ、該係合爪が前記底蓋の長手方向の両端の外側部の係止部に係止されて前記上蓋が閉じた状態でロックされることを特徴とするディスク収納ケース。
【請求項２】
前記係合爪が前記突出片の内側に設けられ、前記突出片を外側に引張ると前記係合爪が前記底蓋の係止部から外れてロックが解除されることを特徴とする請求項１に記載のディスク収納ケース。
【請求項３】
前記底蓋の係止部が前記底蓋の長手方向の両端の外側の下方に開放された段部から構成されることを特徴とする請求項１に記載のディスク収納ケース。
【請求項４】
前記係合爪の前記係止部による係止位置がこのケースの下端の近傍であって、前記本体の切込みの下縁よりも下側であることを特徴とする請求項３に記載のディスク収納ケース。
【請求項５】
前記上蓋と前記底蓋とが互いに同一の樹脂材料から構成されることを特徴とする請求項１に記載のディスク収納ケース。
【考案の詳細な説明】
【技術分野】
【０００１】
本考案はディスク収納ケースに係り、とくに複数枚のディスクをそれらの軸線が互いに一致するとともに軸線方向に所定の間隔で収納されるようにしたディスク収納ケースに関する。
【背景技術】
【０００２】
ハードディスクあるいはこのハードディスクを製造するための円盤状をなす基板を搬送し、製造工程間で移動させるために、例えば米国特許４５５７３８２号公報に示されるようなディスク収納ケースが用いられる。このディスク収納ケースは、その本体の内側に形成される案内溝によって、複数のディスクをそれらの軸線が互いに一致するとともに軸線方向に所定の間隔で収納されるようになっている。ここで本体はその上部開口が上蓋によって閉じられるとともに、底部開口が底蓋によって閉じられるようになっており、これによって内部に収納されたディスクを汚損されることなく安全に運搬あるいは保管するようにしている。
【０００３】
図１〜図４は、収納されるディスクの大きさが２．５インチのハードディスクを２５枚収納するようにしたハードディスク用ケースの具体例を示している。このケースは、本体１と、この本体１の上部開口を閉じる上蓋２と、本体１の底部開口を閉じる底蓋３とから組立てられるようになっている。そして本体１の両側面には図３に示すように、案内溝４が形成され、これらの案内溝４によって、２．５インチのハードディスクの外周部を保持して互いにそれらの軸線が一致するとともに軸線方向に所定の間隔で収納されるようにしている。
【０００４】
上記本体１の長さ方向の両端の側面にはそれぞれＵ字状の切込み５が形成され、これらの切込み５によって、本体１の両側からロボットハンドによるハードディスクの収納あるいは取出しを可能にしている。そして上記Ｕ字状の切込み５を、上蓋２の舌片６によって閉塞するようにしている。舌片６にはその先端側であって下端側の部分に係合爪７が形成され、これらの係合爪７が図４に示すように、本体１のＵ字状切込み５の周縁部に形成されたリブ８に係止されるようになっている。
【０００５】
このような従来のハードディスク用ケースの構成によると、とくに本体１のＵ字状の切込み５を閉塞する舌片６の係止爪７が、本体１のＵ字状切込み５の周縁部に形成されたリブ８の外周部に係合され、これによって舌片６でＵ字状切込み５を閉じた状態で本体１が上蓋２によって閉塞されて上蓋２がロックされる。
【０００６】
従ってとくに舌片6の係合爪７のリブ８に対する係合時および係合の解除時において、両者の間でこれらの係合爪７とリブ８とを構成する材料によるパーティクルが発生し、このパーティクルがリブ８を乗越えて本体１のＵ字状の切込み５を通して本体１に侵入することになる。従って本体１内に収納されるディスクであって、その長さ方向の両端に位置するディスクが係合爪７とリブ８との係合および係合の解除に伴って発生するパーディクルによって汚損される可能性が高く、場合によってはこれらの汚損されたディスクを廃棄しなければならないという問題を生ずる。従ってこのようなケースをハードディスクあるいはその中間製品の輸送あるいは保管のために利用すると、ハードディスクの歩留りが低下し、これによってその分ハードディスクのコストが高くなる問題がある。
【先行技術文献】
【特許文献】
【０００７】
【特許文献１】米国特許４５５７３８２号
【考案の概要】
【考案が解決しようとする課題】
【０００８】
本願考案の課題は、本体内部に収納されたディスクが、上蓋の開閉に伴って汚損されないようにしたディスク収納ケースを提供することである。
【０００９】
本願考案の別の課題は、ディスクをそれらの軸線が互いに一致するとともに軸線方向に所定の間隔で収納された本体の上部開口を上蓋によって閉塞するようにしたディスク収納ケースにおいて、とくに上蓋の開閉の際におけるロック用の係合部の摩擦によって発生するパーティクルで内部に収納されたディスクが汚損されないようにしたディスク収納ケースを提供することである。
【００１０】
本願考案のさらに別の課題は、内部に複数のディスクをそれらの軸線が互いに一致するとともに軸線方向に所定の間隔で収納するようにしたディスク収納ケースにおいて、このディスク収納ケースの本体の両端に形成されている切込みを閉じるための係合部によるロック機構で発生するパーティクルが軸線方向の両端に位置するディスクを汚損し、これによって切込みに臨む両側のディスクが汚損されて廃棄しなければならないのを防止するようにしたディスク収納ケースを提供することである。
【００１１】
本願考案のさらに別の課題は、本体の両側の切込みを閉じる舌片をロックするためのロック機構によって、このハードディスク収納ケースの装着部の寸法が変更されないようにしたディスク収納ケースを提供することである。
【００１２】
本願考案の上記の課題および別の課題は、以下に述べる本願考案の技術的思想、およびその実施の形態によって明らかにされる。
【課題を解決するための手段】
【００１３】
本願の主要な考案は、内側面にディスクの外周部を受入れる案内溝が所定の間隔で形成され、前記案内溝によって複数のディスクをそれらの軸線が互いに一致するとともに軸線方向に所定の間隔で収納され、かつ前記軸線方向の両端にそれぞれ上方から切込まれた切込みが形成されている本体と、
前記本体の上部開口を閉じるとともに、前記軸線方向の両端の切込みを閉じる舌片を一体に連設した上蓋と、
前記本体の下部開口を閉じる底蓋と、
を具備し、前記上蓋の舌片の先端部に突出片が連設されるとともに、該突出片に係合爪が設けられ、該係合爪が前記底蓋の長手方向の両端の外側部の係止部に係止されて前記上蓋が閉じた状態でロックされることを特徴とするディスク収納ケースに関するものである。
【００１４】
ここで、前記係合爪が前記突出片の内側に設けられ、前記突出片を外側に引張ると前記係合爪が前記底蓋の係止部から外れてロックが解除されてよい。また前記底蓋の係止部が前記底蓋の長手方向の両端の外側の下方に開放された段部から構成されてよい。また前記係合爪の前記係止部による係止位置がこのケースの下端の近傍であって、前記本体の切込みの下縁よりも下側であってよい。また前記上蓋と前記底蓋とが互いに同一の樹脂材料から構成されてよい。
【考案の効果】
【００１５】
本願の主要な考案は、内側面にディスクの外周部を受入れる案内溝が所定の間隔で形成され、前記案内溝によって複数のディスクをそれらの軸線が互いに一致するとともに軸線方向に所定の間隔で収納され、かつ前記軸線方向の両端にそれぞれ上方から切込まれた切込みが形成されている本体と、
前記本体の上部開口を閉じるとともに、前記軸線方向の両端の切込みを閉じる舌片を一体に連設した上蓋と、
前記本体の下部開口を閉じる底蓋と、
を具備し、前記上蓋の舌片の先端部に突出片が連設されるとともに、該突出片に係合爪が設けられ、該係合爪が前記底蓋の長手方向の両端の外側部の係止部に係止されて前記上蓋が閉じた状態でロックされるようにしたものである。
【００１６】
従ってこのような構成に係るディスク収納ケースによると、突出片の係合爪が蓋体の長手方向の両端の外側部の係止部に係止されて蓋体が本体の上部開口を閉じた状態でロックされることになり、蓋体の舌片のロックのために本体の切込みの周縁部に係合爪を係合させることなくロックが行なわれることになる。従って本体の切込みのリブの部分で係止する場合に比べて、係合爪による係合位置が本体の外側であって下方に位置することになり、係合爪と係止部との係止あるいはその解除の際にたとえパーティクルが発生しても、このようなパーティクルが切込みを通して本体の内部に侵入することがなくなる。従って本体の内部に収納されている複数のディスクの内の切込みに臨む軸線方向両側のディスクがパーティクルによって汚損されることが防止され、このために内部に収納されるディスクの歩留りの減少を防止し、そのコストの上昇を回避することが可能になる。
【図面の簡単な説明】
【００１７】
【図１】従来のディスク収納ケースの外観斜視図である。
【図２】同ディスクの斜め下側から見た外観斜視図である。
【図３】同ディスク収納ケースの縦断面図である。
【図４】同ディスク収納ケースの上蓋の舌片の部分のロックの構造を示す拡大縦断面図である。
【図５】本考案の一実施の形態に係るディスク収納ケースの外観斜視図である。
【図６】同ディスク収納ケースを斜め下から見た状態の外観斜視図である。
【図７】ディスク収納ケースの本体の外観斜視図である。
【図８】同ディスク収納ケースの平面図である。
【図９】同ディスク収納ケースの側面図である。
【図１０】同ディスク収納ケースの図８におけるＡ〜Ａ線断面図である。
【図１１】本体の上部開口を閉じる上蓋の斜め下側から見た外観斜視図である。
【図１２】同一部を破断した正面図である。
【図１３】同上蓋の底面図である。
【図１４】同上蓋の図１３におけるＢ〜Ｂ線側断面図である。
【図１５】図１４における円形で示した部分の拡大側面図である。
【図１６】本体の底部開口を閉じる底蓋の外観斜視図である。
【図１７】同底蓋の底面図である。
【図１８】図１７におけるＣ〜Ｃ線断面図である。
【図１９】底蓋の側面図である。
【図２０】本体に上蓋と底蓋とを組合わせた状態のディスク収納ケースの縦断面図である。
【図２１】本体の側面の切込みを覆う上蓋の舌片のロックの状態を示す要部拡大断面図である。
【考案を実施するための形態】
【００１８】
以下本願考案を図示の一実施の形態によって説明する。図５および図６に示すように、本実施の形態のディスク収納ケースは、その内部にディスクを収納するための本体１１と、本体１１の上部開口を閉じる上蓋１２と、本体１１の底部開口を閉じる底蓋１３とから構成され、互いにこれらが組合されてディスク収納ケースを構成するようになっている。閉じられた状態においては、このケースの総ての開口が閉じられるために、外部から塵埃が侵入することがなく、内部に収納されディスクを汚損状態から確実に保護することが可能になる。
【００１９】
次に上記ディスク収納ケースの本体１１の構造を図７〜図１０によって説明する。本体１１はほぼ直方体状をなすケースであって、その長手方向の両側が平板状部１５から構成されている。平板状部１５は、その上側の部分が外方に突出した膨出部１６になっている。膨出部１６の上端側であってその外側部には横方向に延びるリブ１７が形成されており、このリブ１７が上蓋１２の周壁部の下縁を押さえるようになっている。また膨出部１６の内側には、互いに所定の間隔を隔てて複数の案内溝１８が形成される。案内溝１８は、内部に収納されるディスクの外周部を受入れるためのものであって、この案内溝１８の数によって収納されるディスクの数が決まる。本実施の形態においては、２５本の案内溝１８が横方向に順次所定の間隔で形成される。
【００２０】
本体１１の短辺側の部分が側壁部２０によって構成される。側壁部２０は両側の平板状部１５を連結するようになっており、しかも側壁部２０には比較的大きなＵ字状の切込み２１が上方から下方に向けて切込まれるように形成されている。Ｕ字状切込み２１はその周縁部に外側部に突出するようにリブ２２が形成されている。そして本体１１の上側の部分が上部開口２５になっており、下側の部分が下部開口２６になっている。すなわち本体１１はその上部と下部とがそれぞれ開放された細長い枠体状の形状になっている。
【００２１】
次に上記本体１１の上部開口２５を閉じる上蓋１２の構造を図１１〜図１５によって説明する。上蓋１２は、その全体形状としてほぼ平板状をなす上板部３０から構成されている。上板部３０にはとくに図１３および図１４に示すように、長手方向に延びる凹溝３１が互いに平行にその両側に形成されている。また上板部３０の上面には、互いに平行な一対の変形防止リブ３８が形成され、平板部３０が長さ方向に弓型に変形しないようにしている。また上板部３０の周縁部には周壁部３２が形成されている。これらの周壁部３２は本体１１の上縁に外側から係合されるようになっている。また上蓋１２の上板部３０の下面には、互いに平行に一対の押えリブ３３が長手方向に延びるように形成されており、これらの押えリブ３３には所定の間隔で凹部３４が形成されている。凹部３４は本体１１に収納されたディスクの外周部を上側から押えるようにするものである。
【００２２】
上記上蓋１２の長さ方向の両側にはそれぞれ下方に突出するように舌片３５が形成されている。舌片３５は上記本体１１の両側のＵ字状切込み２１を閉塞するためのものであって、上記Ｕ字状切込み２１に対応する形状の内側に突出する凸部３９が形成されている。そして上記舌片３５の下端側にはさらに突出片３６が形成されるとともに、この突出片３６の下端の内側には係合爪３７が形成されている。
【００２３】
次に本体１１の底部開口を閉じる底蓋１３の構造を図１６〜図１９によって説明する。底蓋１３は細長い偏平な蓋体を構成しており、その周縁部には長辺側リブ４１と短辺側リブ４２とがそれぞれ形成されている。そして短辺側リブ４２は内側へ没入するように形成され、これによって短辺側リブ４２の外側部は凹所４３になっている。そして上記凹所４３の下側の部分が底部突出片４４から構成されている。そして上記底部突出片４４のほぼ中央部を横切るように、断面がコ字状をなすとともに下方に向って開放されたコ字状係止部４５が形成されている。このコ字状係止部４５は、上記上蓋１２の舌片３５の下端の突出片３６に形成された係合爪３７と係合し、これによって上記上蓋１２を本体１１の上部開口２５を閉じた状態でロックするようにしている。
【００２４】
次に以上のような構成になる本体１１と上蓋１２と、そして底蓋１３とから成るディスク収納ケースの組立て構造について説明する。本体１１内には、上記膨出部１６の内側の案内溝１８によって、その内部に、例えば２５枚のハードディスク５０あるいはこのハードディスクを製造するためのアルミニウムあるいはガラスから成る基板が保持される（図２０参照）。ここで案内溝１８によって外周部が保持されているディスク５０は、上蓋１２の下面に形成された押えリブ３３の凹部３４によって押えられることになる。従って内部のディスクは安定な状態で保持される。図２０はとくにこれらのディスク５０の一部（２枚）を示している。そして本体１１内に所定の枚数のディスク５０を収納したならば、この後に底部開口２６を底蓋１３によって覆うとともに、上蓋１２を用いて上部開口２５を閉塞する。これによってこのディスク収納ケースが閉塞状態となる。従って内部に収納されたディスクは、本体１１、上蓋１２、底蓋１３から成る密閉空間内に収納され、外部からの塵埃等の異物の付着が防止される。
【００２５】
ここでとくに上蓋１２の両側に形成されている舌片３５が、本体１１の側壁部２０のＵ字状切込み２１を閉じるようになる。上記舌片３５のロックは、その先端側に形成されている突出片３６の内側の係合爪３７を、図２０および図２１に示すように、底蓋１３の短辺側リブ４２の外側部に形成されているコ字状係止部４５に係止することによって達成される。このような突出片３６の係合爪３７と底蓋１３のコ字状係止部４５との係合構造によって、本体１１の上部開口を覆う上蓋１２が本体１１対して固定されるばかりでなく、下側の底蓋１３がロックされることになる。すなわち上蓋１２と底蓋１３とは、本体１１を上下から挟んだ状態で互いにロックされるようになり、上蓋１２のみならず底蓋１３もロックされて互いに本体１１に固定される。
【００２６】
一般にこのようなディスク収納ケースは、本体部１１が、例えばカーボンブラックを混入したポリカーボネート樹脂から成形されている。これに対して上蓋１２と底蓋１３とはそれぞれポリプロピレンの射出成形体から構成されている。すなわち上蓋１２をロックするために、上蓋１２の係合爪３７を異種材料から成る本体１１のＵ字状切込み２１のリブ２２に係合させることなく、同じ材料である底蓋１３のコ字状係止部４５によって係止することになる。従って、互いに異種材料同士の係合構造が回避されることになる。しかも、上蓋１２の舌片３５の突出片３６の係合爪３７と底蓋１３の短辺側リブ４２のコ字状係止部４５との係合構造が、円弧状切込み２１の下縁よりも下方であって本体１１の外側部に形成されることになる。従って、たとえ係合爪３７とコ字状係止部４５との間で、ロックの際に、あるいはロック解除の際に摩擦によってパーティクルが発生しても、このようなパーティクルはＵ字状切込み２１を通して本体１１内に侵入することがなく、このために本体１１内に収納されているディスク５０、とくに図２０における横方向の両端であって軸線方向の両端部のディスクの汚損が確実に防止される。従ってこのことから、とくに図２０における本体１１の長さ方向の両端のディスク５０の汚損に伴う歩留りの低下を未然に回避することが可能になり、これによってハードディスクのコストの上昇を防止することが可能になる。
【００２７】
以上本願考案を図示の実施の形態によって説明したが、本願考案は上記実施の形態によって限定されることなく、本願考案の技術的思想の範囲内において各種の変更が可能である。例えば本実施の形態のディスク収納ケースは、その内部に収納されるディスクの寸法や、その枚数については各種の設計変更が可能である。また収納されるディスクについても、ハードディスクを製造するための半製品あるいは完成品に限定されることなく、その他各種の用途に供されるディスクを収納することが可能である。
【産業上の利用可能性】
【００２８】
本願考案は、ハードディスク、あるいはその原盤、半製品を運搬したり保管するためのディスク収納ケースとして利用可能である。
【符号の説明】
【００２９】
１  本体
２  上蓋
３  底蓋
４  案内溝
５  Ｕ字状切込み
６  舌片
７  係合爪
８  リブ
１１  本体
１２  上蓋
１３  底蓋
１５  平板状部
１６  膨出部
１７  リブ
１８  案内溝
２０  側壁部
２１  Ｕ字状切込み
２２  リブ
２５  上部開口
２６  底部開口
３０  上板部
３１  凹溝
３２  周壁部
３３  押えリブ
３４  凹部
３５  舌片
３６  突出片
３７  係合爪
３８  変形防止リブ
３９  凹部
４１  長辺側リブ
４２  短辺側リブ
４３  凹所
４４  底部突出片
４５  コ字状係止部
５０  ディスク
【図１】
0003164941.tif 000003
【図２】
0003164941.tif 000004
【図３】
0003164941.tif 000005
【図４】
0003164941.tif 000006
【図５】
0003164941.tif 000007
【図６】
0003164941.tif 000008
【図７】
0003164941.tif 000009
【図８】
0003164941.tif 000010
【図９】
0003164941.tif 000011
【図１０】
0003164941.tif 000012
【図１１】
0003164941.tif 000013
【図１２】
0003164941.tif 000014
【図１３】
0003164941.tif 000015
【図１４】
0003164941.tif 000016
【図１５】
0003164941.tif 000017
【図１６】
0003164941.tif 000018
【図１７】
0003164941.tif 000019
【図１８】
0003164941.tif 000020
【図１９】
0003164941.tif 000021
【図２０】
0003164941.tif 000022
【図２１】
0003164941.tif 000023